(57)【要約】【課題】新たな符号化方式やフォーマットで映像信号を記録媒体に記録しながらも、映像信号が記録されていることを従来の再生装置においても認識できるようにする。【解決手段】入力される映像信号を第１の符号化部１０２により第１の符号化方式で符号化して第１の記録フォーマットで記録媒体１０８に記録するとともに、記録される映像信号の一部を第２の符号化部１０９により従来型のプレイヤーで使用される第２の符号化方式で符号化して第２の記録フォーマットで記録媒体１０８に記録するようにして、第１の符号化方式及び第１の記録フォーマットによって映像信号を記録媒体１０８に記録しながらも、従来型の再生装置で再生しても記録されている内容を認識可能に再生表示できるようにする。【選択図】図１
2008099027.tif 000002
【特許請求の範囲】
【請求項１】
入力される映像信号を第１の符号化方式で符号化して第１の符号化データを生成する第１の符号化手段と、
上記第１の符号化手段により生成される上記第１の符号化データを第１のフォーマットで記録媒体に記録する記録手段と、
上記第１のフォーマットで上記記録媒体に記録される映像信号を第２の符号化方式で符号化して第２の符号化データを生成する第２の符号化手段とを備え、
上記記録手段は、さらに上記第２の符号化手段により生成される上記第２の符号化データを第２のフォーマットで上記記録媒体に記録することを特徴とする信号処理装置。
【請求項２】
上記第１のフォーマットにて映像信号が記録された上記記録媒体に対する終了処理を施す際に、上記記録媒体に記録された映像信号を上記第２の符号化方式で符号化して上記第２の符号化データを生成し上記第２のフォーマットで上記記録媒体に記録することを特徴とする請求項１記載の信号処理装置。
【請求項３】
上記第２の符号化手段は、上記記録媒体から読み出された上記第１の符号化データの復号信号を上記第２の符号化方式で符号化して上記第２の符号化データを生成することを特徴とする請求項１又は２記載の信号処理装置。
【請求項４】
上記第２の符号化データの少なくとも一部は、上記第１の符号化データの少なくとも一部の復号信号を上記第２の符号化方式で符号化して生成されることを特徴とする請求項１〜３の何れか１項に記載の信号処理装置。
【請求項５】
上記第２の符号化データには、上記記録媒体に対する上記第１のフォーマットでの記録が行われていることを外部に通知するためのメッセージ情報が含まれていることを特徴とする請求項１〜４の何れか１項に記載の信号処理装置。
【請求項６】
上記メッセージ情報は、上記記録媒体に対する上記第１のフォーマットでの記録が行われていることを表示させるためのメッセージ映像であることを特徴とする請求項５記載の信号処理装置。
【請求項７】
上記記録媒体は、ＤＶＤメディアであることを特徴とする請求項１〜６の何れか１項に記載の信号処理装置。
【請求項８】
被写体の光学像を映像信号に変換して出力する撮像手段と、
上記撮像手段からの映像信号が入力される、請求項１〜７の何れか１項に記載の信号処理装置とを備えることを特徴とする撮像装置。
【請求項９】
入力される映像信号を第１の符号化方式で符号化して第１の符号化データを生成する第１の符号化工程と、
上記第１の符号化工程で生成される上記第１の符号化データを第１のフォーマットで記録媒体に記録する第１の記録工程と、
上記第１のフォーマットで上記記録媒体に記録される映像信号を第２の符号化方式で符号化して第２の符号化データを生成する第２の符号化工程と、
上記第２の符号化工程で生成される上記第２の符号化データを第２のフォーマットで上記記録媒体に記録する第２の記録工程とを有することを特徴とする信号処理方法。
【請求項１０】
入力される映像信号を第１の符号化方式で符号化して第１の符号化データを生成する第１の符号化ステップと、
上記第１の符号化ステップで生成される上記第１の符号化データを第１のフォーマットで記録媒体に記録する第１の記録ステップと、
上記第１のフォーマットで上記記録媒体に記録される映像信号を第２の符号化方式で符号化して第２の符号化データを生成する第２の符号化ステップと、
上記第２の符号化ステップで生成される上記第２の符号化データを第２のフォーマットで上記記録媒体に記録する第２の記録ステップとをコンピュータに実行させるためのプログラム。
【請求項１１】
請求項１０記載のプログラムを記録したことを特徴とするコンピュータ読み取り可能な記録媒体。
【発明の詳細な説明】
【技術分野】
【０００１】
本発明は、映像信号等を符号化し所定のフォーマットで記録媒体に記録する信号処理技術に関する。
【背景技術】
【０００２】
近年、デジタル信号処理技術の進歩に伴い、動画像や静止画像、及び音声等の大量のデジタル情報を高能率に符号化して、小型な記録媒体への記録や通信媒体による伝送を行うことが可能になっている。このような技術を応用し、容易に高品位な映像信号を符号化して即座に記録媒体に出力可能な記録装置や撮像装置等の開発が行われている。
【０００３】
最近、特にＤＶＤ−Ｒ、ＤＶＤ−ＲＷなどの記録型光ディスクに、画像や音声を符号化して記録するレコーダやビデオカメラなどが登場している。これらの機器は、ＤＶＤプレイヤーとの高い互換性を有しており、画像等が記録された記録媒体、すなわち記録済みのＤＶＤメディアを広く普及しているＤＶＤプレイヤーで容易に再生することができる（例えば、特許文献１参照。）。
【０００４】
また、記録媒体や記録方式の研究開発はさらに進歩しており、ＤＶＤメディアに情報（データ）を記録する場合に、現在用いているレーザーよりも波長の短いレーザーを用いた、より大容量な次世代の記録媒体も実用化されつつある。
【０００５】
一方、映像信号を圧縮する符号化技術もまた進歩を続け、ＤＶＤで使用されている符号化方式であるＭＰＥＧ−２方式を凌ぐ、新しい符号化方式が次々に開発されている。こうした新たな符号化方式を用いた記録フォーマットは、上述の大容量な次世代媒体で用いられるのはもちろんのこと、ＤＶＤメディアなどの従来型の記録媒体に対しても、より高い画質で、かつより長時間の映像信号を記録するために用いられようとしている。
【０００６】
【特許文献１】特開２００３−１６３８６７号公報
【発明の開示】
【発明が解決しようとする課題】
【０００７】
しかしながら、従来型のＤＶＤメディアに新たな符号化方式やフォーマットで映像信号を記録した場合、従来のＤＶＤプレイヤーがその新たな方式に対応していないと、ＤＶＤメディアに記録された情報を認識できず、映像信号を再生することができない。そのため、多くのＤＶＤプレイヤーでは、「媒体が壊れています」、「記録されていない媒体です」、「フォーマットされていません」などの表示を行わせ、使用者に対して警告することが考えられる。
【０００８】
したがって、新たな符号化方式やフォーマットで正しく記録されているにも関わらず、使用者は、警告メッセージによって記録媒体側の異常であると判断してしまうおそれがある。その結果、記録媒体が破損してしまったと勘違いして破棄したり、あるいは未使用の記録媒体であると誤って判断しフォーマット初期化の処理をしたりするおそれがあった。
【０００９】
本発明は、このような事情に鑑みてなされたものであり、新たな符号化方式やフォーマットで映像信号を記録媒体に記録しながらも、記録媒体に映像信号が記録されていることを従来の再生装置においても認識できるようにすることを目的とする。
【課題を解決するための手段】
【００１０】
本発明の信号処理装置は、入力される映像信号を第１の符号化方式で符号化して第１の符号化データを生成する第１の符号化手段と、上記第１の符号化手段により生成される上記第１の符号化データを第１のフォーマットで記録媒体に記録する記録手段と、上記第１のフォーマットで上記記録媒体に記録される映像信号を第２の符号化方式で符号化して第２の符号化データを生成する第２の符号化手段とを備え、上記記録手段は、さらに上記第２の符号化手段により生成される上記第２の符号化データを第２のフォーマットで上記記録媒体に記録することを特徴とする。
本発明の信号処理方法は、入力される映像信号を第１の符号化方式で符号化して第１の符号化データを生成する第１の符号化工程と、上記第１の符号化工程で生成される上記第１の符号化データを第１のフォーマットで記録媒体に記録する第１の記録工程と、上記第１のフォーマットで上記記録媒体に記録される映像信号を第２の符号化方式で符号化して第２の符号化データを生成する第２の符号化工程と、上記第２の符号化工程で生成される上記第２の符号化データを第２のフォーマットで上記記録媒体に記録する第２の記録工程とを有することを特徴とする。
本発明のプログラムは、入力される映像信号を第１の符号化方式で符号化して第１の符号化データを生成する第１の符号化ステップと、上記第１の符号化ステップで生成される上記第１の符号化データを第１のフォーマットで記録媒体に記録する第１の記録ステップと、上記第１のフォーマットで上記記録媒体に記録される映像信号を第２の符号化方式で符号化して第２の符号化データを生成する第２の符号化ステップと、上記第２の符号化ステップで生成される上記第２の符号化データを第２のフォーマットで上記記録媒体に記録する第２の記録ステップとをコンピュータに実行させることを特徴とする。
本発明のコンピュータ読み取り可能な記録媒体は、上記プログラムを記録したことを特徴とする。
【００１１】
上記構成によれば、映像信号を第１の符号化方式で符号化して第１のフォーマットで記録媒体に記録することで高画質かつ長時間の記録を行い、かつ従来型の再生装置で認識可能なように第２の符号化方式で符号化し第２のフォーマットで記録する。
【発明の効果】
【００１２】
本発明によれば、新たな符号化方式やフォーマットで映像信号を記録媒体に記録するとともに、従来型の再生装置で認識可能な符号化方式やフォーマットでの記録を行う。これにより、新たな符号化方式やフォーマットで映像信号が記録されている記録媒体を従来型の再生装置により再生した場合でも、その記録媒体に記録されている情報を認識することができる。したがって、使用者が記録媒体に記録されている内容を正しく把握でき、誤って記録媒体を破棄したり初期化したりすることを防止することができる。
【発明を実施するための最良の形態】
【００１３】
以下、本発明の実施形態を図面に基づいて説明する。
【００１４】
（第１の実施形態）
図１は、本発明の第１の実施形態による信号処理装置を適用した撮像装置の構成例を示すブロック図である。図１において、１０１は撮像部、１０２は第１の符号化部、１０３は復号化部、１０４は表示部、１０５は操作部、１０６は制御部、１０７は記録再生部、１０８は着脱可能な記録媒体、１０９は第２の符号化部である。
【００１５】
撮像部１０１は、被写体の光学像を光電変換して映像信号に変換し出力する。第１の符号化部１０２は、入力される映像信号を第１の符号化方式で符号化して第１の符号列（符号化データ）を生成する。復号化部１０３は、記録媒体１０８から記録再生部１０７を介して読み出された符号列を復号する。
【００１６】
表示部１０４は、撮像部１０１から出力される映像信号や記録媒体１０８から読み出され復号化部１０３により復号された映像信号に係る画像を表示したり、メニュー等の操作画像を表示したりする。操作部１０５は、使用者が撮像装置にて実行する動作を指示したりするためのものである。制御部１０６は、操作部１０５に対する操作等に応じて、撮像装置内の各機能部を制御する。
【００１７】
記録再生部１０７は、着脱可能な記録媒体１０８に映像信号を符号化して得られた符号列を記録したり、記録媒体１０８から記録されている符号列を再生したりする。なお、記録再生部１０７は、記録媒体１０８に対して、音声や所定の情報を記録、再生することも可能である。着脱可能な記録媒体１０８は、書き込み可能な記録媒体であり、本実施形態では、例えば追記可能なＤＶＤ−Ｒや書き換え可能なＤＶＤ−ＲＷなどのＤＶＤディスク（ＤＶＤメディア）を用いるものとするが、これに限定されるものではない。
【００１８】
第２の符号化部１０９は、入力される映像信号を第２の符号化方式で符号化して第２の符号列（符号化データ）を生成する。
【００１９】
ここで、第１の符号化方式は、第２の符号化方式よりも少ない符号量で高画質な映像信号を得ることが可能な符号化方式である。また、第２の符号化方式は、それに対応した再生装置が普及している、従来型の再生装置で使用されている汎用的な符号化方式である。本実施形態では、一例として第１の符号化方式は、ＩＳＯ／ＩＥＣ１４４９６−１０に記載のＨ．２６４／ＡＶＣ（Advanced Video Coding）方式とし、第２の符号化方式は、ＭＰＥＧ２方式とするが、これに限定されるものではない。なお、Ｈ．２６４／ＡＶＣ方式は、Ｈ．２６４／ＭＰＥＧ−４  ＡＶＣ方式とも呼ばれる。
【００２０】
本実施形態における撮像装置は、使用者が表示部１０４を見ながら操作部１０５を操作し、それに応じて制御部１０６が撮像装置内の各ブロックを制御することで動作する。
すなわち、操作部１０５に対して撮影操作が行われ撮影動作が開始されると、撮像部１０１は、被写体の光学像を映像信号に変換して出力し、第１の符号化部１０２は、撮像部１０１より出力された映像信号を第１の符号化方式で符号化する。これにより、撮影によって得られた映像信号を第１の符号化方式にて符号化した第１の符号列が得られる。
【００２１】
第１の符号化部１０２で符号化処理して得られた第１の符号列は、制御部１０６によって第１の記録フォーマットに応じた形態に変換された後、記録再生部１０７により記録媒体１０８に記録される。
このような動作を繰り返し実行し、撮影によって得られた映像信号に係るデータ（第１の符号列）が次々と記録媒体１０８に格納されてゆく。
【００２２】
ここで、第１の記録フォーマットにて記録される各ファイル（各データ列）は、図２に示すような形式で記録媒体１０８に格納される。具体的には、図２に示すルートディレクトリ（ＲＯＯＴ）２０１の下に連なる、ディレクトリ及びファイル２０２〜２０６のツリー構造で示すような形式で格納される。
【００２３】
すなわち、本実施形態では、撮影開始から撮影停止までの一連の符号列を１つのファイルとして保存する。そして、第１の記録フォーマットを示すディレクトリ（ＦＯＲＭＡＴ＿１）２０２の下のストリームディレクトリ（ＳＴＲＥＡＭ）２０５に、撮影毎に生成される第１の符号列を、１つずつストリームファイル２０６として記録する。また、ディレクトリ（ＦＯＲＭＡＴ＿１）２０２の下のクリップディレクトリ（ＣＬＩＰ）２０３に、各ストリームファイル２０６に対応するクリップ情報ファイル２０４を同じように１つずつ記録する。
【００２４】
また、本実施形態においては、第１の符号化方式に加え、撮影によって得られる映像信号を第２の符号化方式にて符号化して第２の符号列を生成し、それを第２の記録フォーマットで記録媒体１０８に記録することも可能である。なお、本実施形態では、上述したように第２の符号化方式をＭＰＥＧ２方式とし、第２の記録フォーマットをＤＶＤビデオフォーマットとする。
【００２５】
操作部１０５を操作することにより、使用者が信号の符号化方式として第２の符号化方式を選択した後、撮影動作の開始が指示されると、撮像部１０１により得られた映像信号は、第２の符号化部１０９で符号化される。これにより、撮影によって得られた映像信号を第２の符号化方式にて符号化した第２の符号列が得られる。第２の符号化部１０９で符号化処理して得られた第２の符号列は、制御部１０６によって第２の記録フォーマットに応じた形態に変換された後、記録再生部１０７により第２の記録フォーマットに従って記録媒体１０８に記録される。
【００２６】
図３は、第２の記録フォーマットにより記録される各ファイル（各データ列）の記録媒体への格納形式の一例を示す図である。第２の記録フォーマットにて記録される各ファイルは、ルートディレクトリ（ＲＯＯＴ）３０１の下に連なる、ディレクトリ及びファイル３０２〜３０４のツリー構造で示す形式で格納される。つまり、撮影開始から撮影停止までの一連の符号列が１つのファイルとして保存され、第２の記録フォーマットを示すディレクトリ（ＦＯＲＭＡＴ＿２）３０２に、ストリームファイル３０４及びそれに対応するクリップ情報ファイル３０３が記録される。
【００２７】
使用者は、記録媒体への記録を行い撮影を完了した後、ファイナライズ処理（終了処理）の指示を操作部１０５に与える。ファイナライズ処理とは、例えば、フォーマット方式で規定されたデータ配置を完成し、情報ファイルを補充したり、記録媒体内の未使用領域を無効データで埋め尽くしたり、プレイヤー（再生装置）用の操作メニュー画像を付加するなどの処理である。このファイナライズ処理を行うことによって、記録媒体であるＤＶＤディスクを本装置から取り出して、プレイヤーで再生できるようになる。
【００２８】
上述のように映像信号を第１の符号化方式で符号化して第１の記録フォーマットで記録した記録媒体の場合、第１の記録フォーマットや第１の符号化方式に対応するプレイヤーがまだ十分に普及していないと、ファイナライズ処理の効果は低いものとなってしまう。それだけでなく、第１の符号化方式及び第１の記録フォーマットによって映像信号を記録した記録媒体を、ＤＶＤプレイヤーなど現在、広く普及している従来型のプレイヤーに装着して再生を試みると、記録フォーマットや符号化方式がまったく認識されない。そのため、使用者が、記録媒体が破損したとか又は未記録の状態であるといったなどの誤った判断をしてしまう可能性が高い。
【００２９】
第１の記録フォーマットと、従来型のプレイヤーで使用される第２の記録フォーマットにおいて、ファイルの配置構造に相違があり、また、第１の符号化方式と従来型の第２の符号化方式においても相違がある場合、両者の間で十分な互換性を得ることはできない。
そこで、本実施形態では、映像信号を第１の符号化方式で符号化して第１の記録フォーマットで記録した記録媒体を従来型のプレイヤーで認識できるよう、第１の記録フォーマットにて記録された記録媒体に対するファイナライズ処理を以下のように行う。
【００３０】
図４は、本実施形態におけるファイナライズ処理の手順を示すフローチャートである。
使用者に操作されることにより操作部１０５からファイナライズ処理の指示を受けると、ファイナライズ処理が開始され、ステップＳ４０１にて、制御部１０６は第１の記録フォーマットによるファイナライズ処理を行う。すなわち、第１の記録フォーマットにて規定された情報ファイル（クリップ情報ファイル２０４）や、プレイヤー用のメニューデータを作成して、記録再生部１０７により記録媒体１０８に記録する。
【００３１】
次に、ステップＳ４０２にて、制御部１０６からの制御に基づいて、記録再生部１０７は、第１の記録フォーマットで記録されている各ストリームファイル２０６を記録媒体１０８から読み出す。そして、復号化部１０３は、記録再生部１０７により読み出されたストリームファイル２０６（第１の符号列）の一部を復号する。例えば、復号化部１０３により各クリップの先頭の画像を復号化し、クリップを代表する静止画を生成する。
【００３２】
ステップＳ４０３にて、制御部１０６からの制御に基づいて、第２の符号化部１０９は、ステップＳ４０２での復号処理により得られた映像信号を第２の符号化方式で再符号化する。また、このステップＳ４０３では、この記録媒体１０８が本来第１の記録フォーマットによって映像信号を記録されたものであることを通知するためのメッセージ情報も合わせて符号化する。このメッセージ情報には、例えば第１の記録フォーマットによって映像信号が記録されたものであることを表示するためのメッセージ映像がある。
【００３３】
続いて、ステップＳ４０４にて、制御部１０６は、ステップＳ４０３での符号化処理により得られた第２の符号列を記録再生部１０７により第２の記録フォーマットで記録媒体１０８に記録する。このとき、第２の記録フォーマットにて記録される各ファイル（データ列）は、図３に示した格納形式と同様の図２におけるディレクトリ及びファイル２０７〜２０９のツリー構造で示す形式で記録媒体１０８に格納される。すなわち、第２の記録フォーマットを示すディレクトリ（ＦＯＲＭＡＴ＿２）２０７に、ステップＳ４０３での符号化処理により得られたストリームファイル２０８とそれに対応するクリップ情報ファイル２０９が記録される。
【００３４】
最後に、ステップＳ４０５にて、制御部１０６は第２の記録フォーマットによるファイナライズ処理を行い、全体としてのファイナライズ処理を終了する。
【００３５】
ここで、上述したようにディレクトリ及びファイル２０７〜２０９のツリー構造は、従来型のプレイヤーで用いられている図３に示したディレクトリ及びファイル３０２〜３０４のツリー構造と同じ形式である。したがって、図４に示した処理に従ってファイナライズ処理された記録媒体１０８は、第１の符号化方式及び第１の記録フォーマットによって映像信号が記録されているとともに、従来型のプレイヤーでも正しく認識され、その内容を再生表示することができる。
【００３６】
図５は、上述のようにしてファイナライズ処理された記録媒体を従来型のプレイヤーに装着し再生した場合の表示例を示す図である。
図５に示すように、表示画面５０１内には、図４に示したステップＳ４０３において再符号化された第１の記録フォーマットで記録媒体１０８に記録されている各クリップの代表画像５０２が表示されている。また、表示画面５０１内には、代表画像５０２に加え、ステップＳ４０３で生成されたメッセージ映像５０３を表示している。
【００３７】
図５に示すように表示することで、使用者は、代表画像５０２によって第１の記録フォーマットで記録媒体１０８に記録されている映像のダイジェストを見ることができる。さらに、使用者は、メッセージ映像５０３によって、この記録媒体１０８が本来第１の記録フォーマットによって映像信号を記録されていることを認識することができる。したがって、この記録媒体１０８に記録されている内容を正しく理解させることができ、記録媒体１０８を誤って破棄したり初期化したりすることを防止することができる。
【００３８】
以上、第１の実施形態によれば、映像信号を第１の符号化方式及び第１の記録フォーマットによって記録媒体１０８に記録する。また、それに加えて、記録される映像信号の一部を従来型のプレイヤーで使用される第２の符号化方式及び第２の記録フォーマットによって記録媒体１０８に記録する。これにより、第１の符号化方式及び第１の記録フォーマットによる高画質・長時間の記録を可能にし、かつ従来型のプレイヤーで再生しても記録媒体１０８に記録されている内容を認識可能なように再生表示することができる。したがって、記録媒体１０８に記録されている内容を使用者に正しく把握させ、誤って記録媒体１０８を破棄したり初期化したりすることを防ぐことができる。
【００３９】
なお、上述した説明では、図４に示したファイナライズ処理において、ステップＳ４０３では、第１の記録フォーマットで記録されたクリップを代表する静止画像を再符号化しているが、これに限定されるものではない。例えば、記録媒体１０８の容量が許せば第１の記録フォーマットで記録されたクリップの一部を動画像として再符号化するようにしても良い。また、例えば、記録媒体１０８の容量が足りなければ、記録媒体１０８を代表する１枚の静止画のみを再符号化するようにしても良いし、あるいは再符号化による画像なしにメッセージ映像のみを生成し符号化しても良い。メッセージ映像のみであっても、記録媒体１０８の破棄や初期化のような致命的な事態を防ぐ効果を得ることができる。
【００４０】
（第２の実施形態）
次に、本発明の第２の実施形態について説明する。
図６は、第２の実施形態による信号処理装置を適用した映像記録再生装置の構成例を示すブロック図である。この図６において、図１に示したブロック等と同様の機能を有するブロック等には同一の符号を付し、重複する説明は省略する。
【００４１】
図６に示す映像記録再生装置は、例えばＤＶＤレコーダなどの番組録画を目的とするものであり、６００は映像信号入力端子、６０１は入力部である。
【００４２】
本実施形態における映像記録再生装置は、使用者が操作部１０５を操作し、それに応じて制御部１０６が映像記録再生装置内の各ブロックを制御することで動作する。
すなわち、操作部１０５に対して録画スタート操作が行われ録画動作が開始されると、入力部６０１は、図示していないチューナーなどの外部機器から映像信号入力端子６００を通じて映像信号を受信する。入力部６０１で受信された映像信号は、第１の符号化部１０２によって第１の符号化方式で第１の符号列へ符号化され、その第１の符号列は第１の記録フォーマットに応じた形態に変換された後、記録再生部１０７により記録媒体１０８に記録される。このような動作を繰り返し実行し、記録媒体１０８に次々と映像データが格納されてゆく。
【００４３】
第２の実施形態においても、映像信号が第１の記録フォーマットにて記録された記録媒体に対するファイナライズ処理は、第１の実施形態と同様に図４に示したようにして行われる。つまり、記録媒体１０８に対するファイナライズ処理により、従来型のプレイヤーで用いられているディレクトリ及びファイル３０２〜３０４のツリー構造と同じ記録フォーマットでの記録が行われる。
【００４４】
これにより、ファイナライズ処理された記録媒体１０８は、第１の符号化方式及び第１の記録フォーマットによって映像信号が記録されているとともに、従来型のプレイヤーでも正しく認識され、その内容を再生表示することができる。すなわち、第１の符号化方式及び第１の記録フォーマットによる高画質・長時間の記録を可能にし、かつ従来型のプレイヤーでも記録されている内容を認識可能なように再生表示することができる。したがって、記録媒体１０８に記録されている内容を使用者に正しく把握させ、誤って記録媒体１０８を破棄したり初期化したりすることを防ぐことができる。
【００４５】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、上記実施形態の機能を実現するためのソフトウェアのプログラムを供給する。そして、そのシステム又は装置のコンピュータに格納されたプログラムに従って上記各種デバイスを動作させることによって実施したものも、本発明の範疇に含まれる。
また、この場合、上記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００４６】
例えば、第１及び第２の実施形態に示した信号処理装置は、図７に示すようなコンピュータ機能７００を有し、そのＣＰＵ７０１により第１及び第２の実施形態での動作が実施される。
コンピュータ機能７００は、図７に示すように、ＣＰＵ７０１と、ＲＯＭ７０２と、ＲＡＭ７０３とを備える。また、操作部（ＣＯＮＳ）７０９のコントローラ（ＣＯＮＳＣ）７０５と、ＣＲＴやＬＣＤ等の表示部としてのディスプレイ（ＤＩＳＰ）７１０のディスプレイコントローラ（ＤＩＳＰＣ）７０６とを備える。さらに、ハードディスク（ＨＤ）７１１、及びフレキシブルディスク等の記憶デバイス（ＳＴＤ）７１２のコントローラ（ＤＣＯＮＴ）７０７と、ネットワークインタフェースカード（ＮＩＣ）７０８とを備える。それら機能部７０１、７０２、７０３、７０５、７０６、７０７、７０８は、システムバス７０４を介して互いに通信可能に接続された構成としている。
ＣＰＵ７０１は、ＲＯＭ７０２又はＨＤ７１１に記憶されたソフトウェア、又はＳＴＤ７１２より供給されるソフトウェアを実行することで、システムバス７０４に接続された各構成部を総括的に制御する。すなわち、ＣＰＵ７０１は、上述したような動作を行うための処理プログラムを、ＲＯＭ７０２、ＨＤ７１１、又はＳＴＤ７１２から読み出して実行することで、第１及び第２の実施形態での動作を実現するための制御を行う。ＲＡＭ７０３は、ＣＰＵ７０１の主メモリ又はワークエリア等として機能する。
ＣＯＮＳＣ７０５は、ＣＯＮＳ７０９からの指示入力を制御する。ＤＩＳＰＣ７０５は、ＤＩＳＰ７１０の表示を制御する。ＤＣＯＮＴ７０７は、ブートプログラム、種々のアプリケーション、ユーザファイル、ネットワーク管理プログラム、及び第１及び第２の実施形態における上記処理プログラム等を記憶するＨＤ７１１及びＳＴＤ７１２とのアクセスを制御する。ＮＩＣ７０８はネットワーク７１３上の他の装置と双方向にデータをやりとりする。
【００４７】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４８】
【図１】本発明の第１の実施形態による信号処理装置を適用した撮像装置の構成例を示すブロック図である。
【図２】本実施形態における記録媒体へのデータ格納形式の一例を示す図である。
【図３】第２の記録フォーマットでの記録媒体へのデータ格納形式の一例を示す図である。
【図４】本実施形態におけるファイナライズ処理の手順を示すフローチャートである。
【図５】本実施形態における表示例を示す図である。
【図６】本発明の第２の実施形態による信号処理装置を適用した映像記録再生装置の構成例を示すブロック図である。
【図７】本実施形態における信号処理装置を実現可能なコンピュータ機能を示すブロック図である。
【符号の説明】
【００４９】
１０１  撮像部
１０２  第１の符号化部
１０３  復号化部
１０６  制御部
１０７  記録再生部
１０８  記録媒体
１０９  第２の符号化部
６００  映像信号入力端子
６０１  入力部
【図１】
2008099027.tif 000003
【図２】
2008099027.tif 000004
【図３】
2008099027.tif 000005
【図４】
2008099027.tif 000006
【図５】
2008099027.tif 000007
【図６】
2008099027.tif 000008
【図７】
2008099027.tif 000009